(57)【要約】【課題】原稿画像を読み取って得られた画像データに対する色抽出において、本来の原稿画像に対する色抽出の精度を向上させる。【解決手段】補正処理部３３は、画像データにおける各画素を注目画素として順次選択し、注目画素が抽出色の画素であり、注目画素を含む参照領域内の抽出色以外の色の画素数が抽出色の画素数よりも多い場合、注目画素を抽出色の画素から抽出色以外の色の画素に変更する。また、補正処理部３３は、注目画素が抽出色以外の色の画素であり、参照領域内の抽出色の画素数が抽出色以外の色の画素数よりも多い場合、注目画素を抽出色以外の色の画素から抽出色の画素に変更する。【選択図】図１
2019145933.tif 000002
【特許請求の範囲】
【請求項１】
原稿画像を読み取って得られた画像データから抽出色の画素を抽出する色抽出部と、
前記画像データにおける各画素を注目画素として順次選択し、
前記注目画素が抽出色の画素であり、前記注目画素を含む参照領域内の抽出色以外の色の画素数が抽出色の画素数よりも多い場合、前記注目画素を抽出色の画素から抽出色以外の色の画素に変更し、
前記注目画素が抽出色以外の色の画素であり、前記参照領域内の抽出色の画素数が抽出色以外の色の画素数よりも多い場合、前記注目画素を抽出色以外の色の画素から抽出色の画素に変更する補正処理を行う補正処理部と
を備えることを特徴とする画像処理装置。
【請求項２】
前記補正処理部は、前記画像データにおける写真の画像領域を前記補正処理の対象外とすることを特徴とする請求項１に記載の画像処理装置。
【発明の詳細な説明】
【技術分野】
【０００１】
本発明は、原稿画像を読み取って得られた画像データを処理する画像処理装置に関する。
【背景技術】
【０００２】
２色印刷可能な印刷装置において２色印刷を行う際、原稿画像を表す画像データを分版処理し、２色印刷における各印刷色の印刷データを生成する（例えば、特許文献１参照）。
【０００３】
２色印刷のための分版処理では、原稿画像を表す画像データから所定の抽出色の画素を抽出する色抽出を行い、抽出色の画素と抽出色以外の色の画素とに分ける。そして、抽出色の画素からなる画像データに基づき一方の印刷色の印刷データが生成され、抽出色以外の色の画素からなる画像データに基づき他方の印刷色の印刷データが生成される。
【先行技術文献】
【特許文献】
【０００４】
【特許文献１】特開２０１１−１３６５４３号公報
【発明の概要】
【発明が解決しようとする課題】
【０００５】
ここで、原稿画像を表す画像データが、スキャナで原稿画像を読み取って得られた画像データである場合、本来の原稿画像に対して、分版処理の際の色抽出の精度が低くなることがある。
【０００６】
例えば、原稿画像において、原稿印刷時の色ずれにより、本来は黒文字である文字のエッジ部に、色インクがはみ出していることがある。そして、この黒文字のエッジ部にはみ出した色インクの部分が、画像データにおいて抽出色の画素として抽出されることで、本来の原稿画像では抽出色がないはずの位置で抽出色が抽出されることがある。
【０００７】
分版処理における色抽出の精度が低い場合、精度が低い分版結果に基づく印刷データが生成されることになる。その結果、２色印刷による印刷画質の低下が生じることがある。特に、２色間の印刷位置精度が低い印刷方式の印刷装置で印刷する場合、印刷画質の低下が目立ちやすい。例えば、２色印刷する場合において、上述のように黒文字のエッジ部にはみ出した色インクの部分が抽出色の画素として抽出された場合、その部分が黒文字から離れた位置に印刷されて目立ち、印刷画質の低下を招くことがある。
【０００８】
本発明は上記に鑑みてなされたもので、原稿画像を読み取って得られた画像データに対する色抽出において、本来の原稿画像に対する色抽出の精度を向上できる画像処理装置を提供することを目的とする。
【課題を解決するための手段】
【０００９】
上記目的を達成するため、本発明の画像処理装置は、原稿画像を読み取って得られた画像データから抽出色の画素を抽出する色抽出部と、前記画像データにおける各画素を注目画素として順次選択し、前記注目画素が抽出色の画素であり、前記注目画素を含む参照領域内の抽出色以外の色の画素数が抽出色の画素数よりも多い場合、前記注目画素を抽出色の画素から抽出色以外の色の画素に変更し、前記注目画素が抽出色以外の色の画素であり、前記参照領域内の抽出色の画素数が抽出色以外の色の画素数よりも多い場合、前記注目画素を抽出色以外の色の画素から抽出色の画素に変更する補正処理を行う補正処理部とを備えることを特徴とする。
【発明の効果】
【００１０】
本発明によれば、原稿画像を読み取って得られた画像データに対する色抽出において、本来の原稿画像に対する色抽出の精度を向上できる。
【図面の簡単な説明】
【００１１】
【図１】実施の形態に係る印刷装置の構成を示すブロック図である。
【図２】図１に示す印刷装置の動作を説明するためのフローチャートである。
【図３】（ａ）は、原稿画像の一例を示す図である。（ｂ）は、印刷された（ａ）の原稿画像を読み取って得られた画像データに対する分版結果の一例を示す図である。（ｃ）は、（ｂ）の分版結果に対して補正処理を施した結果を示す図である。
【図４】（ａ），（ｂ）は、図３（ｂ）の分版結果に対する補正処理の説明図である。
【図５】（ａ）は、原稿画像の他の例を示す図である。（ｂ）は、印刷された（ａ）の原稿画像を読み取って得られた画像データに対する分版結果の一例を示す図である。（ｃ）は、（ｂ）の分版結果に対して補正処理を施した結果を示す図である。
【図６】（ａ），（ｂ）は、図５（ｂ）の分版結果に対する補正処理の説明図である。
【図７】（ａ）は、原稿画像のさらに他の例を示す図である。（ｂ）は、印刷された（ａ）の原稿画像を読み取って得られた画像データに対する分版結果の一例を示す図である。（ｃ）は、（ｂ）の分版結果に対して補正処理を施した結果を示す図である。
【図８】（ａ），（ｂ）は、図７（ｂ）の分版結果に対する補正処理の説明図である。
【図９】（ａ）は、原稿画像のさらに他の例を示す図である。（ｂ）は、印刷された（ａ）の原稿画像を読み取って得られた画像データに対する分版結果の一例を示す図である。（ｃ）は、（ｂ）の分版結果に対して補正処理を施した結果を示す図である。
【図１０】（ａ）〜（ｆ）は、図９（ｂ）の分版結果に対する補正処理の説明図である。
【発明を実施するための形態】
【００１２】
以下、本発明の実施の形態について、図面を参照して説明する。各図面を通じて同一もしくは同等の部位や構成要素には、同一もしくは同等の符号を付している。
【００１３】
図１は、本発明の実施の形態に係る画像処理装置を備える印刷装置の構成を示すブロック図である。
【００１４】
図１に示すように、本実施の形態に係る印刷装置１は、画像読取部２と、製版部３と、印刷部４と、制御部５とを備える。印刷装置１は、孔版印刷方式の２色印刷可能な印刷装置である。
【００１５】
画像読取部２は、原稿画像を光学的に読み取り、画像データを生成する。画像読取部２は、ラインセンサ、光源、原稿台等を備えるスキャナからなる。画像読取部２は、原稿台に載置された原稿に光源の光を照射し、原稿からの反射光をラインセンサで読み取ることで、原稿画像を表す画像データを生成する。本実施の形態では、画像読取部２が生成する画像データは、各色８ビット（２５６階調）のＲＧＢ形式の画像データであるとする。
【００１６】
製版部３は、サーマルヘッド（図示せず）で孔版原紙に穿孔を行うことにより製版する。
【００１７】
印刷部４は、製版部３により製版された孔版原紙を用いて用紙に印刷を行う。印刷部４は、印刷ドラム１１Ａ，１１Ｂを備える。印刷ドラム１１Ａ，１１Ｂとしては、互いに異なるインク色（印刷色）に対応する印刷ドラムが用いられる。これにより、印刷部４は、２色印刷可能になっている。
【００１８】
印刷ドラム１１Ａ，１１Ｂは、それぞれ着脱可能に構成されている。印刷ドラム１１Ａ，１１Ｂとして使用する印刷ドラムを変更することで、印刷ドラム１１Ａ，１１Ｂで印刷に使用するインク色を変更可能である。
【００１９】
印刷ドラム１１Ａ，１１Ｂには、それぞれのインク色に対応して製版部３で製版された孔版原紙が着版される。印刷ドラム１１Ａ，１１Ｂは、内部からインクを供給し、孔版原紙の穿孔部分からインクを用紙に転写することで画像を印刷する。印刷部４は、印刷ドラム１１Ａにより２色印刷における第１色の画像を用紙に印刷した後、印刷ドラム１１Ｂに用紙を搬送し、印刷ドラム１１Ｂにより２色印刷における第２色の画像を印刷する。
【００２０】
制御部５は、印刷装置１全体の動作を制御する。制御部５は、ＣＰＵ、ＲＡＭ、ＲＯＭ、ハードディスク等を備えて構成される。制御部５は、読取制御部２１と、画像処理部（請求項の画像処理装置に相当）２２と、製版制御部２３と、印刷制御部２４とを備える。制御部５の各部は、ＣＰＵがハードディスク等に格納されたプログラムにしたがって動作すること等により構成される。
【００２１】
読取制御部２１は、画像読取部２の動作を制御する。
【００２２】
画像処理部２２は、画像読取部２が原稿画像を読み取って得られた画像データに基づき、２色印刷における各印刷色（第１色および第２色）の印刷データを生成する。画像処理部２２は、像域分離部３１と、分版処理部（請求項の色抽出部に相当）３２と、補正処理部３３と、２値化処理部３４とを備える。
【００２３】
像域分離部３１は、原稿画像を表す画像データに対して像域分離処理を行い、属性が文字、イラスト、線画、図表、写真のそれぞれの画像領域を判定する。
【００２４】
分版処理部３２は、原稿画像を表す画像データに対する分版処理を行う。具体的には、分版処理部３２は、原稿画像を表す画像データから所定の抽出色の画素を抽出する色抽出を行い、抽出色の画素と抽出色以外の色の画素とに分ける。そして、分版処理部３２は、抽出色の画素からなる画像データの各画素の色を２色印刷における第１色にした第１色成分の画像データと、抽出色以外の色の画素からなる画像データの各画素の色を２色印刷における第２色にした第２色成分の画像データとを生成する。
【００２５】
補正処理部３３は、写真の画像領域以外の領域に対して、分版処理部３２による分版結果（色抽出結果）に対する補正処理を行う。具体的には、補正処理部３３は、画像データにおける各画素を注目画素として順次選択し、注目画素が写真以外の画像領域における抽出色の画素であり、注目画素を含む参照領域内の抽出色以外の色の画素数Ｎ２が抽出色の画素数Ｎ１よりも多い場合、注目画素を抽出色の画素から抽出色以外の色の画素に変更する。また、補正処理部３３は、注目画素が写真以外の画像領域における抽出色以外の色の画素であり、参照領域内の抽出色の画素数Ｎ１が抽出色以外の色の画素数Ｎ２よりも多い場合、注目画素を抽出色以外の色の画素から抽出色の画素に変更する。
【００２６】
ここで、抽出色の画素は、分版結果における第１色の画素に相当し、抽出色以外の色の画素は、分版結果における第２色の画素に相当する。すなわち、補正処理部３３は、分版結果において、注目画素が写真以外の画像領域における第１色の画素であり、参照領域内の第２色の画素数Ｎ２が第１色の画素数Ｎ１よりも多い場合、注目画素を第１色の画素から第２色の画素に変更する。また、補正処理部３３は、分版結果において、注目画素が写真以外の画像領域における第２色の画素であり、参照領域内の第１色の画素数Ｎ１が第２色の画素数Ｎ２よりも多い場合、注目画素を第２色の画素から第１色の画素に変更する。
【００２７】
２値化処理部３４は、第１色成分の画像データおよび第２色成分の画像データにそれぞれ２値化処理を施し、第１色印刷用の印刷データおよび第２色印刷用の印刷データを生成する。印刷データは、画素ごとの穿孔の有無を示す２値データであり、色ありが「１」、色なしが「０」で表される各画素１ビットのデータである。
【００２８】
製版制御部２３は、第１色印刷用の印刷データおよび第２色印刷用の印刷データに基づき、製版部３を制御して孔版原紙を製版させる。
【００２９】
印刷制御部２４は、印刷ドラム１１Ａ，１１Ｂにより用紙に印刷するよう印刷部４を制御する。
【００３０】
次に、印刷装置１の動作について説明する。
【００３１】
図２は、印刷装置１の動作を説明するためのフローチャートである。図２のフローチャートの処理は、画像読取部２に原稿がセットされ、操作パネル（図示せず）に対するユーザ操作により、原稿画像を読み取って２色印刷する指示が入力されたことにより開始となる。
【００３２】
図２のステップＳ１において、読取制御部２１は、原稿画像を読み取るよう画像読取部２を制御する。画像読取部２は原稿画像を読み取り、原稿画像を表す画像データを生成する。
【００３３】
次いで、ステップＳ２において、像域分離部３１は、読取制御部２１で生成された原稿画像を表す画像データに対して像域分離処理を行い、属性が文字、イラスト、線画、図表、写真の画像領域を判定する。
【００３４】
次いで、ステップＳ３において、分版処理部３２は、原稿画像を表す画像データに対する分版処理を行う。
【００３５】
具体的には、まず、分版処理部３２は、画像データの各画素の色を判断し、各画素の色が、所定の抽出色であるか否かを判断する。ここで、分版処理部３２は、各画素のＲＧＢ値をＨＳＶ色空間の値に変換して色判断を行うことができる。次いで、分版処理部３２は、原稿画像を表す画像データから抽出色の画素を抽出し、抽出色の画素と抽出色以外の色の画素とに分ける。そして、分版処理部３２は、抽出色の画素からなる画像データの各画素の色を２色印刷における第１色にした第１色成分の画像データと、抽出色以外の色の画素からなる画像データの各画素の色を２色印刷における第２色にした第２色成分の画像データとを生成する。
【００３６】
分版処理の際の色抽出における抽出色は、２色印刷における印刷色（インク色）の組み合わせに応じて予め設定された色であってもよいし、ユーザが指定した色であってもよい。
【００３７】
次いで、ステップＳ４において、補正処理部３３は、写真の画像領域以外の領域に対して、分版処理部３２による分版結果（色抽出結果）に対する補正処理を行う。この補正処理の詳細は後述する。
【００３８】
次いで、ステップＳ５において、２値化処理部３４は、補正処理後の第１色成分の画像データおよび第２色成分の画像データにそれぞれ２値化処理を施し、第１色印刷用の印刷データおよび第２色印刷用の印刷データを生成する。
【００３９】
次いで、ステップＳ６において、製版制御部２３は、第１色印刷用の印刷データおよび第２色印刷用の印刷データに基づき、製版部３を制御して孔版原紙を製版させる。
【００４０】
次いで、ステップＳ７において、印刷制御部２４は、２色印刷を実行する。具体的には、印刷制御部２４は、第１色印刷用の印刷データに基づき製版された孔版原紙を印刷ドラム１１Ａに着版させ、第２色印刷用の印刷データに基づき製版された孔版原紙を印刷ドラム１１Ｂに着版させる。次いで、印刷制御部２４は、印刷ドラム１１Ａ,１１Ｂで用紙に順次印刷させる。これにより、印刷ドラム１１Ａにより第１色の画像が用紙に印刷され、印刷ドラム１１Ｂにより第２色の画像が用紙に印刷される。この結果、用紙に２色印刷が行われる。指定枚数分の印刷が終了すると、一連の動作が終了となる。
【００４１】
次に、上述した図２のステップＳ４で行われる補正処理について説明する。
【００４２】
補正処理において、補正処理部３３は、画像データにおける各画素を注目画素として順次選択する。注目画素が写真以外の画像領域の画素である場合において、補正処理部３３は、注目画素を含む参照領域内の抽出色の画素数（分版結果における第１色の画素数）Ｎ１と、抽出色以外の色の画素数（同第２色の画素数）Ｎ２とをそれぞれ計数する。
【００４３】
そして、注目画素が抽出色の画素（分版結果における第１色の画素）であり、Ｎ２＞Ｎ１である場合、補正処理部３３は、注目画素を抽出色の画素（同第１色の画素）から抽出色以外の色の画素（同第２色の画素）に変更する。
【００４４】
また、注目画素が抽出色以外の色の画素（分版結果における第２色の画素）であり、Ｎ１＞Ｎ２である場合、補正処理部３３は、注目画素を抽出色以外の色の画素（同第２色の画素）から注目画素を抽出色の画素（同第１色の画素）に変更する。
【００４５】
このような補正処理は、本来の原稿画像に対する分版（色抽出）の精度を向上させるために行われるものである。すなわち、この補正処理を行わない場合、本来の原稿画像に対する分版（色抽出）の精度が低くなることがある。その理由は、次のようなものである。
【００４６】
例えば、本来の原稿画像に、図３（ａ）に示すような黒文字４１が含まれているものとする。図３（ａ）は、原稿画像の印刷用の電子データにおける黒文字４１を示している。そして、印刷装置１で２色印刷のために読み取られる原稿画像は、図３（ａ）の黒文字４１を含む原稿画像が、インクジェットプリンタで用紙に印刷されたものであるとする。
【００４７】
また、黒文字４１は、高濃度で印刷するために、ブラック以外に、シアン、マゼンタ、イエローのインクを用いて印刷されているものとする。この際、色ずれにより、印刷された黒文字４１のエッジ部に、色インクがはみ出すことがある。そこで、印刷された原稿画像において、黒文字４１のエッジ部にマゼンタのインクがはみ出しているとする。
【００４８】
これに対し、この原稿画像を画像読取部２が読み取って得られた画像データに対する分版処理における抽出色が赤色であるとする。この場合、分版処理部３２による分版処理において、黒文字４１のエッジ部にはみ出したマゼンタのインクの部分の画素が、赤色の画素として抽出される。これにより、本来の原稿画像に対する分版（色抽出）の精度が低くなる。
【００４９】
この場合の分版結果（色抽出結果）の一例を、図３（ｂ）に模式的に示す。ここで、２色印刷における第１色は赤色、第２色は黒色であるとする。図３（ｂ）のような分版結果に基づき生成される赤色印刷用の印刷データおよび黒色印刷用の印刷データに基づき２色印刷が行われると、黒文字４１のエッジ部に、本来の原稿画像にない赤色の部分が印刷される。印刷装置１は、２色間の印刷位置精度が低い印刷方式であるため、黒文字４１のエッジ部の赤色の部分が黒文字４１から離れた位置に印刷されて目立ち、印刷画質の低下を招くことがある。
【００５０】
そこで、図３（ｂ）のような分版結果に対して、上述のような補正処理が施される。この例における補正処理において、補正処理部３３は、図４（ａ）に示すような、注目画素Ｅを含む参照領域Ａ内の赤色の画素数Ｎ１と、黒色の画素数Ｎ２とを計数する。
【００５１】
ここで、図４において、１つのマス目が１画素を表す。また、参照領域Ａは、注目画素Ｅを中心とする３画素×３画素の領域であるとする。
【００５２】
図４（ａ）の例では、注目画素が抽出色である赤色の画素（第１色の画素）である。また、Ｎ１＝１，Ｎ２＝３である。すなわち、注目画素が抽出色である赤色の画素であり、Ｎ２＞Ｎ１であるので、補正処理部３３は、図４（ｂ）に示すように、注目画素Ｅを赤色の画素から黒色の画素に変更する。
【００５３】
注目画素Ｅを順次選択しつつ上記のような参照領域Ａに対する処理を行うことで、図３（ｃ）に示すように、黒文字４１のエッジ部の赤色の画素が黒色の画素に変更されることで、赤色の画素がなくなる。これにより、本来の原稿画像に対する分版（色抽出）の精度が向上する。
【００５４】
次に、本来の原稿画像に対する分版（色抽出）の精度が低くなる原稿画像の他の例における補正処理ついて、図５、図６を参照して説明する。
【００５５】
この例では、本来の原稿画像に、図５（ａ）に示すようなグレー線部４２が含まれている。そして、印刷装置１で２色印刷のために読み取られる原稿画像は、図５（ａ）のグレー線部４２を含む原稿画像が、インクジェットプリンタで用紙に印刷されたものであるとする。また、印刷された原稿画像におけるグレー線部４２のグレーは、シアン、マゼンタ、およびイエローのインクにより表現されているものとする。このシアン、マゼンタ、およびイエローのインクにより表現されたグレー線部４２には、画素ごとに見ると、シアン、マゼンタ、およびイエローのそれぞれの色の画素が存在する。
【００５６】
これに対し、この原稿画像を画像読取部２が読み取って得られた画像データに対する分版処理における抽出色が赤色であるとする。この場合、分版処理部３２による分版処理において、グレー線部４２に含まれるマゼンタのインクによる画素が、赤色の画素として抽出されることがある。これにより、本来の原稿画像に対する分版（色抽出）の精度が低くなる。
【００５７】
この場合の分版結果（色抽出結果）の一例を、図５（ｂ）に模式的に示す。ここで、２色印刷における第１色は赤色、第２色は黒色であるとする。図５（ｂ）のような分版結果に基づき生成される赤色印刷用の印刷データおよび黒色印刷用の印刷データに基づき２色印刷が行われると、グレー線部４２に、本来の原稿画像にない赤色の部分が印刷され、印刷画質の低下を招く。
【００５８】
そこで、図５（ｂ）のような分版結果に対して、上述のような補正処理が施される。この例における補正処理において、補正処理部３３は、図６（ａ）に示すような、注目画素Ｅを含む参照領域Ａ内の赤色の画素数Ｎ１と、黒色の画素数Ｎ２とを計数する。
【００５９】
図６（ａ）の例では、注目画素が抽出色である赤色の画素（第１色の画素）である。また、Ｎ１＝１，Ｎ２＝３である。すなわち、注目画素が抽出色である赤色の画素であり、Ｎ２＞Ｎ１であるので、補正処理部３３は、図６（ｂ）に示すように、注目画素Ｅを赤色の画素から黒色の画素に変更する。
【００６０】
注目画素Ｅを順次選択しつつ上記のような参照領域Ａに対する処理を行うことで、図５（ｃ）に示すように、グレー線部４２の赤色の画素が黒色の画素に変更されることで、赤色の画素がなくなる。これにより、本来の原稿画像に対する分版（色抽出）の精度が向上する。
【００６１】
次に、本来の原稿画像に対する分版（色抽出）の精度が低くなる原稿画像のさらに他の例における補正処理ついて、図７、図８を参照して説明する。
【００６２】
この例では、本来の原稿画像に、図７（ａ）に示すような赤色部分４３が含まれている。そして、印刷装置１で２色印刷のために読み取られる原稿画像は、図７（ａ）の赤色部分４３を含む原稿画像が、インクジェットプリンタで用紙に印刷されたものであるとする。また、印刷された原稿画像における赤色部分４３の赤色は、シアンおよびマゼンタのインクにより表現されているものとする。
【００６３】
これに対し、この原稿画像を画像読取部２が読み取って得られた画像データに対する分版処理における抽出色が赤色であるとする。この場合、分版処理部３２による分版処理において、印刷された赤色部分４３のエッジ部にあるシアンのインクによる画素が、赤色の画素としては抽出されない。これにより、本来の原稿画像に対する分版（色抽出）の精度が低くなる。
【００６４】
この場合の分版結果（色抽出結果）の一例を、図７（ｂ）に模式的に示す。ここで、２色印刷における第１色は赤色、第２色は黒色であるとする。図７（ｂ）に示すように、分版処理において赤色の画素としては抽出されなかったシアンのインクによる画素が、黒色に分けられている。図７（ｂ）のような分版結果に基づき生成される赤色印刷用の印刷データおよび黒色印刷用の印刷データに基づき２色印刷が行われると、赤色部分４３のエッジ部に、本来の原稿画像にない黒色の部分が印刷される。印刷装置１は、２色間の印刷位置精度が低い印刷方式であるため、赤色部分４３のエッジ部の黒色の部分が赤色部分４３から離れた位置に印刷されて目立ち、印刷画質の低下を招くことがある。
【００６５】
そこで、図７（ｂ）のような分版結果に対して、上述のような補正処理が施される。この例における補正処理において、補正処理部３３は、図８（ａ）に示すような、注目画素Ｅを含む参照領域Ａ内の赤色の画素数Ｎ１と、黒色の画素数Ｎ２とを計数する。
【００６６】
図８（ａ）の例では、注目画素が抽出色以外の色の画素（第２色（黒色）の画素）である。また、Ｎ１＝３，Ｎ２＝１である。すなわち、注目画素が抽出色以外の色の画素であり、Ｎ１＞Ｎ２であるので、補正処理部３３は、図８（ｂ）に示すように、注目画素Ｅを黒色の画素から赤色の画素に変更する。
【００６７】
注目画素Ｅを順次選択しつつ上記のような参照領域Ａに対する処理を行うことで、図７（ｃ）に示すように、赤色部分４３のエッジ部の黒色の画素が赤色の画素に変更されることで、黒色の画素がなくなる。これにより、本来の原稿画像に対する分版（色抽出）の精度が向上する。
【００６８】
次に、本来の原稿画像に対する分版（色抽出）の精度が低くなる原稿画像のさらに他の例における補正処理ついて、図９、図１０を参照して説明する。
【００６９】
この例では、本来の原稿画像に、図９（ａ）に示すようなベタ画像である青色部分４４が含まれている。そして、印刷装置１で２色印刷のために読み取られる原稿画像は、図９（ａ）の青色部分４４を含む原稿画像が、レーザプリンタやインクジェットプリンタで用紙に印刷されたものであるとする。また、印刷された原稿画像における青色部分４４の青色は、シアンおよびマゼンタのトナーやインクにより表現されているものとする。
【００７０】
これに対し、この原稿画像を画像読取部２が読み取って得られた画像データに対する分版処理における抽出色が青色であるとする。この場合、分版処理部３２による分版処理において、印刷された青色部分４４においてシアンのトナーやインクとマゼンタのトナーやインクとが重なっている部分は、濃度が高すぎることで、青色の画素としては抽出されない。これにより、本来の原稿画像に対する分版（色抽出）の精度が低くなる。
【００７１】
この場合の分版結果（色抽出結果）の一例を、図９（ｂ）に模式的に示す。ここで、２色印刷における第１色は青色、第２色は黒色であるとする。図９（ｂ）に示すように、分版処理において青色の画素としては抽出されなかった画素が、黒色に分けられている。図９（ｂ）のような分版結果に基づき生成される青色印刷用の印刷データおよび黒色印刷用の印刷データに基づき２色印刷が行われると、青色部分４４に、本来の原稿画像にない黒色の部分が印刷され、印刷画質の低下を招く。
【００７２】
そこで、図９（ｂ）のような分版結果に対して、上述のような補正処理が施される。この例における補正処理において、補正処理部３３は、図１０（ａ）に示すような、注目画素Ｅを含む参照領域Ａ内の青色の画素数Ｎ１と、黒色の画素数Ｎ２とを計数する。
【００７３】
図１０（ａ）の例では、注目画素が抽出色以外の色の画素（第２色（黒色）の画素）である。また、Ｎ１＝６，Ｎ２＝３である。すなわち、注目画素が抽出色以外の色の画素であり、Ｎ１＞Ｎ２であるので、補正処理部３３は、図１０（ｂ）に示すように、注目画素Ｅを黒色の画素から青色の画素に変更する。
【００７４】
その後、注目画素Ｅを順次選択しつつ上記のような参照領域Ａに対する処理を行うことで、図１０（ｃ）〜図１０（ｆ）に示すように、黒色の画素から青色の画素への変更が行われる。これにより、図９（ｃ）に示すように、青色部分４４の黒色の画素が青色の画素に変更されることで、黒色の画素がなくなる。この結果、本来の原稿画像に対する分版（色抽出）の精度が向上する。
【００７５】
ここで、前述のように、補正処理部３３は、写真の画像領域以外に対して、補正処理を行う。写真の画像においては、元々、さまざまな色が重なったり、混在したりしている。そのようなものである写真の画像に対して、上述のような補正処理による画素の色の変更を行うと、写真の画像領域における色抽出の結果に対して不適切な補正を行ってしまうおそれがある。その結果、写真の印刷画質を低下させるおそれがある。そこで、本実施の形態では、補正処理部３３は、写真の画像領域を補正処理の対象外としている。
【００７６】
以上説明したように、印刷装置１では、補正処理部３３は、画像データにおける各画素を注目画素として順次選択し、注目画素が写真以外の画像領域における抽出色の画素であり、注目画素を含む参照領域内の抽出色以外の色の画素数Ｎ２が抽出色の画素数Ｎ１よりも多い場合、注目画素を抽出色の画素から抽出色以外の色の画素に変更する。また、補正処理部３３は、注目画素が写真以外の画像領域における抽出色以外の色の画素であり、参照領域内の抽出色の画素数Ｎ１が抽出色以外の色の画素数Ｎ２よりも多い場合、注目画素を抽出色以外の色の画素から抽出色の画素に変更する。これにより、原稿画像を読み取って得られた画像データにおいて本来の原稿画像とは異なる色の画素が存在することによる不適切な色抽出が補正される。この結果、本来の原稿画像に対する色抽出の精度を向上できる。
【００７７】
また、補正処理部３３は、写真の画像領域を補正処理の対象外としているので、写真の画像領域における色抽出の結果に対して不適切な補正を行うことを回避できる。
【００７８】
なお、上述した実施の形態では、孔版印刷方式の印刷装置１について説明したが、印刷方式はインクジェット方式やその他の方式であってもよい。
【００７９】
また、上述した実施の形態では、補正処理の後に２値化処理を行ったが、分版処理後に２値化処理を行って２値データである印刷データを生成し、その後に補正処理を行ってもよい。この場合、第１色印刷用の印刷データにおいて「１」の画素が抽出色の画素に相当し、第２色印刷用の印刷データにおいて「１」の画素が抽出色以外の色の画素に相当する。
【００８０】
また、上述した実施の形態では、原稿画像を読み取って得られた画像データに対する色抽出として、２色印刷のための分版処理における色抽出について説明したが、指定色消去機能における色抽出にも本発明は適用可能である。指定色消去機能は、原稿画像を読み取って得られた画像データにおいて、指定された色（指定色）の領域を抽出し、それを消去して印刷する機能である。
【００８１】
指定色消去機能による印刷を行う場合、指定色を抽出色として、原稿画像を表すＲＧＢ形式の画像データに対して、上述した実施の形態の補正処理までの処理を施す。なお、この場合でも、２値化処理後に補正処理を行ってもよい。次いで、補正処理の結果を用いて、原稿画像を表すＲＧＢ形式の画像データにおける指定色の領域を消去する。すなわち、原稿画像を表す各色８ビット（０〜２５５）のＲＧＢ形式の画像データにおける、補正処理後の抽出色（指定色）の領域の各画素のＲ，Ｇ，Ｂの値をそれぞれ「２５５」とする。そして、指定色の領域が消去された画像データに基づき、印刷を行う。
【００８２】
例えば、マルチドロップ方式のインクジェットヘッドによりシアン（Ｃ）、マゼンタ（Ｍ）、イエロー（Ｙ）、ブラック（Ｋ）のインクで印刷可能なインクジェット印刷装置において指定色消去機能による印刷を行う場合、上述のように指定色の領域が消去されたＲＧＢ形式の画像データを、ＣＭＹＫ形式の画像データに色変換する。次いで、ＣＭＹＫ形式の画像データにハーフトーン処理を施し、各画素に対するインクのドロップ数（例えば０〜５ドロップ）を示すドロップデータを生成する。そして、ドロップデータに基づき、インクジェットヘッドからインクを吐出させて印刷を行う。
【００８３】
また、上述した実施の形態では、写真の画像領域を補正処理の対象外としたが、写真の画像領域を補正処理の対象に含めてもよい。
【００８４】
また、上述した実施の形態における補正処理の例の説明では、注目画素を中心とする３画素×３画素の領域を参照領域としたが、参照領域の大きさおよび形状はこれに限らない。また、注目画素が参照領域の中心でなくてもよい。
【００８５】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００８６】
［付記］
本出願は、以下の発明を開示する。
【００８７】
（付記１）
原稿画像を読み取って得られた画像データから抽出色の画素を抽出する色抽出部と、
前記画像データにおける各画素を注目画素として順次選択し、
前記注目画素が抽出色の画素であり、前記注目画素を含む参照領域内の抽出色以外の色の画素数が抽出色の画素数よりも多い場合、前記注目画素を抽出色の画素から抽出色以外の色の画素に変更し、
前記注目画素が抽出色以外の色の画素であり、前記参照領域内の抽出色の画素数が抽出色以外の色の画素数よりも多い場合、前記注目画素を抽出色以外の色の画素から抽出色の画素に変更する補正処理を行う補正処理部と
を備えることを特徴とする画像処理装置。
【００８８】
（付記２）
前記補正処理部は、前記画像データにおける写真の画像領域を前記補正処理の対象外とすることを特徴とする付記１に記載の画像処理装置。
【符号の説明】
【００８９】
１  印刷装置
２  画像読取部
３  製版部
４  印刷部
５  制御部
２１  読取制御部
２２  画像処理部
２３  製版制御部
２４  印刷制御部
３１  像域分離部
３２  分版処理部
３３  補正処理部
３４  ２値化処理部
Ａ  参照領域
Ｅ  注目画素
【図１】
2019145933.tif 000003
【図２】
2019145933.tif 000004
【図３】
2019145933.tif 000005
【図４】
2019145933.tif 000006
【図５】
2019145933.tif 000007
【図６】
2019145933.tif 000008
【図７】
2019145933.tif 000009
【図８】
2019145933.tif 000010
【図９】
2019145933.tif 000011
【図１０】
2019145933.tif 000012